(57)【特許請求の範囲】
【請求項１】
防災機器情報、法規情報などの防災機器設計に必要な情報を格納し、これらの情報を読み出して、防災機器を設計する防災機器ＣＡＤ装置と、この防災機器ＣＡＤ装置に、通信ネットワークを介して接続された、１または複数の演算処理装置とで構成された防災機器設計システムであって、
上記防災機器ＣＡＤ装置は、上記演算処理装置のいずれかから、上記通信ネットワークを介して、少なくとも、防災機器に接続する回線情報、防災機器に組み込む機器情報、防災機器の函体情報を受信したときには、これらの情報に基づいて、防災機器内に必要な機器を組み込んだ状態の機器図を作成し、この作成した機器図情報を、演算処理装置に送信することを特徴とする防災機器設計システム。
【請求項２】
請求項１において、上記防災機器ＣＡＤ装置は、
函体表面の機器配置と、函体内部の機器配置とを、予め定められた優先順に従って設計することを特徴とする防災機器設計システム。
【請求項３】
請求項１または請求項２において、上記防災機器ＣＡＤ装置は、
函体内部の機器配置を、函体表面に配置される機器の種別に従って設計することを特徴とする防災機器設計システム。
【請求項４】
請求項１〜請求項３のいずれかにおいて、上記防災機器ＣＡＤ装置は、
上記作成された機器図に基づいて、各機器の名称や種別などの情報を一覧とした機器名称表を作成することを特徴とする防災機器設計システム。
【請求項５】
請求項１〜請求項４のいずれかにおいて、上記防災機器ＣＡＤ装置は、
上記防災機器に配置した機器の総重量が、所定の重量を超えたときには、エラー報知を行うことを特徴とする防災機器設計システム。
【請求項６】
請求項１〜請求項５のいずれかにおいて、上記防災機器ＣＡＤ装置は、
上記演算処理装置から受信した情報を基にして、見積入力用帳票、バッテリー計算書、納入仕様書、予備品リストなどの各種帳票を作成することを特徴とする防災機器設計システム。
【請求項７】
請求項１〜請求項６のいずれかにおいて、上記防災機器ＣＡＤ装置は、
上記演算処理装置のいずれかから、上記通信ネットワークを介して、少なくとも、防災機器に接続する回線情報、防災機器に組み込む機器情報、防災機器の函体情報を、音声データで受信したときには、文字データに変換してから上記機器図を作成することを特徴とする防災機器設計システム。
【請求項８】
請求項１〜請求項７のいずれかにおいて、上記演算処理装置は、
上記防災機器ＣＡＤ装置から受信した情報を、上記通信ネットワークを介して、他の演算処理装置に送信することを特徴とする防災機器設計システム。
【請求項９】
請求項８において  上記演算処理装置は、
上記他の演算処理装置の宛先、及び／または、上記他の演算処理装置に送信を開始する時間を、予め設定できることを特徴とする防災機器設計システム。
【請求項１０】
請求項１〜請求項９のいずれかにおいて、上記防災機器ＣＡＤ装置は、上記通信ネットワークを介して、更に、製造者の演算処理装置を接続しており、
上記演算処理装置から受信した情報を基にして、上記防災機器に組み込まれる各機器を発注するための製造手配書を作成し、この製造手配書情報を上記製造者の演算処理装置に送信することを特徴とする防災機器設計システム。
【請求項１１】
請求項１０において、上記防災機器ＣＡＤ装置は、
上記防災機器に組み込まれる各機器を、各機器を構成する部品に展開して、製造手配書を作成することを特徴とする防災機器設計システム。
【発明の詳細な説明】
【０００１】
【発明の属する技術分野】
本発明は、防災監視盤などの防災機器を、特別な設計知識を必要とせずに設計することができ、また、防災機器の設計から、防災機器に組み込まれる各機器の工場への発注までにかかる時間を、大幅に短縮することのできる防災機器設計システムに関する。
【０００２】
【従来の技術】
従来から、ビルなどに設置される防災監視盤などの防災機器を設計する際には、防災機器ＣＡＤ装置が使用され、防災機器を構成すべき各機器を、ポインティングデバイス等の操作により、順次ディスプレイ上に表示させ、機器図を完成させている。
【０００３】
【発明が解決しようとする課題】
ところが、上記従来の防災機器ＣＡＤ装置では、設計者自身のスキルに基づいて、設計中の防災機器が法規に適合しているか、あるいは、これを構成する機器に漏れがないか等を検討しながら防災機器を設計しているので、設計知識を有する人しか、この作業を行うことができなかった。
【０００４】
また、防災機器を設計した後、その機器図をプリントアウトし、プリントアウトされた機器図を参照しながら、各種帳票、例えば、見積書や、停電時などの非常時に、防災機器を動作させるために必要な予備電源の容量を示すバッテリー計算書などの帳票を作成して、機器図とともに客先に送付し、客先からの製造指示があれば、再度プリントアウトされた機器図を参照しながら、防災機器に組み込まれる各機器の製造を依頼するための製造手配書を作成して工場に送付しているので、防災機器の設計から、防災機器に組み込まれる各機器の工場への発注まで、多大な時間を要していた。
【０００５】
本発明は、上記事情を考慮してなされたものであり、防災監視盤などの防災機器を、特別な設計知識を必要とせずに設計することができ、また、防災機器の設計から、防災機器に組み込まれる各機器の工場への発注までにかかる時間を、大幅に短縮することのできる防災機器設計システムを提供することを目的としている。
【０００６】
【課題を解決するための手段】
上記目的を達成するために、請求項１に記載の防災機器設計システムでは、
防災機器情報、法規情報などの防災機器設計に必要な情報を格納し、これらの情報を読み出して、防災機器を設計する防災機器ＣＡＤ装置と、この防災機器ＣＡＤ装置に、通信ネットワークを介して接続された、１または複数の演算処理装置とで構成された防災機器設計システムであって、防災機器ＣＡＤ装置は、演算処理装置のいずれかから、通信ネットワークを介して、少なくとも、防災機器に接続する回線情報、防災機器に組み込む機器情報、防災機器の函体情報を受信したときには、これらの情報に基づいて、防災機器内に必要な機器を組み込んだ状態の機器図を作成し、この作成した機器図情報を、演算処理装置に送信する。
【０００７】
ここに、通信ネットワークには、インターネット、専用線、公衆回線網、ＩＳＤＮ、ＬＡＮ（ローカルエリアネットワーク）等の通信網が含まれる。また、演算処理装置は、データ伝送機能と、ブラウザ（閲覧用ソフトウェア）を備えていることが必要である。
請求項２に記載の防災機器設計システムでは、防災機器ＣＡＤ装置は、函体表面の機器配置と、函体内部の機器配置とを、予め定められた優先順に従って設計する。
【０００８】
請求項３に記載の防災機器設計システムでは、防災機器ＣＡＤ装置は、函体内部の機器配置を、函体表面に配置される機器の種別に従って設計する。
請求項４に記載の防災機器設計システムでは、防災機器ＣＡＤ装置は、作成された機器図に基づいて、各機器の名称や種別などの情報を一覧とした機器名称表を作成する。
【０００９】
請求項５に記載の防災機器設計システムでは、防災機器ＣＡＤ装置は、防災機器に配置した機器の総重量が、所定の重量を超えたときには、エラー報知を行う。
請求項６に記載の防災機器設計システムでは、防災機器ＣＡＤ装置は、演算処理装置から受信した情報を基にして、見積入力用帳票、バッテリー計算書、納入仕様書、予備品リストなどの各種帳票を作成する。
【００１０】
ここに、見積入力用帳票とは、設計した防災機器の価格を見積り、その見積書を作成するために参照する帳票を意味し、バッテリー計算書とは、停電時など非常時に、防災機器を動作させるために必要な予備電源の容量を示す帳票を意味し、納入仕様書とは、設計した防災機器の仕様について説明する帳票を意味し、予備品リストとは、防災機器に付属して納入する予備品を示す帳票を意味している。
【００１１】
請求項７に記載の防災機器設計システムでは、防災機器ＣＡＤ装置は、演算処理装置のいずれかから、通信ネットワークを介して、少なくとも、防災機器に接続する回線情報、防災機器に組み込む機器情報、防災機器の函体情報を、音声データで受信したときには、文字データに変換してから機器図を作成する。
ここに、音声データは、演算処理装置から受信されるにとどまらず、電話機から受信されることもできる。
【００１２】
請求項８に記載の防災機器設計システムでは、演算処理装置は、防災機器ＣＡＤ装置から受信した情報を、通信ネットワークを介して、他の演算処理装置に送信する。
ここに、防災機器ＣＡＤ装置から受信した情報は、他の演算処理装置に送信するにとどまらず、ファクシミリ装置に送信したり、プリンタに送信して記録させることもできる。
【００１３】
請求項９に記載の防災機器設計システムでは、演算処理装置は、他の演算処理装置の宛先、及び／または、上記演算処理装置に送信を開始する時間を、予め設定できる。
請求項１０に記載の防災機器設計システムでは、防災機器ＣＡＤ装置は、通信ネットワークを介して、更に、製造者の演算処理装置を接続しており、演算処理装置から受信した情報を基にして、防災機器に組み込まれる各機器を発注するための製造手配書を作成し、この製造手配書情報を製造者の演算処理装置に送信する。
【００１４】
ここに、製造者とは、防災機器に組み込まれる各機器や、各機器を構成する部品を製造する工場を意味しており、また、このような工場は１つに限られず、複数の工場であってもよい。また、製造者の演算処理装置は、データ伝送機能を有していることが必要である。
請求項１１に記載の防災機器設計システムでは、防災機器ＣＡＤ装置は、防災機器に組み込まれる各機器を、各機器を構成する部品に展開して、製造手配書を作成する。
【００１５】
【発明の実施の形態】
以下に、本発明の実施の形態について、図面とともに説明する。
図１は、本発明の防災機器設計システムの要部構成の一例を示した図である。
ここには、防災機器製造会社のシステムが示されており、各支社毎に演算処理装置１とファクシミリ装置２とを設置し、また、演算処理装置１の各々にはプリンタ３を接続している。
【００１６】
一方、本社には、防災機器ＣＡＤ装置４が設置され、防災機器ＣＡＤ装置４には、専用線Ｌを介して、工場に設置される演算処理装置１’が接続されている。各支社に設置される演算処理装置１は、ＩＳＤＮや電話網などの公衆回線網Ｎ１を介して、各支社が契約したプロバイダＰ（＃１〜＃ｎ）と、インターネットＮ２とを介して、防災機器ＣＡＤ装置４にアクセスできるようになっており、防災機器ＣＡＤ装置４との間で、ＨＴＭＬ文書や、テキスト文書等のデータのやり取りができるようになっている。
【００１７】
防災機器ＣＡＤ装置４は、図２に示すように、ＣＰＵ等で構成され、以下の各部を制御する主制御部４０と、各種操作キーで構成される操作部４１と、インターネットＮ２に接続するためのインターフェイス４２と、設計知識データを格納した設計知識データベース４３と、機器配置ルールを格納した機器配置ルールデータベース４４と、件名管理データを格納した件名管理データベース４５と、ＲＡＭやＲＯＭ等で構成される記憶部４６と、工場に設置される演算処理装置１’に専用線Ｌを介して接続するためのインターフェイス４７と、ディスプレイ等で構成される表示部４８とを備えている。
【００１８】
主制御部４０は、法規判定部４０Ａと、自動設計用情報収集処理部４０Ｂと、自動設計処理部４０Ｃと、帳票作成処理部４０Ｄと、工場連携処理部４０Ｅと、音声入力処理部４０Ｆと、ｗｅｂ表示処理部４０Ｇとを備えており、これらの機能については後述することにする。
設計知識データベース４３、機器配置ルールデータベース４４、件名管理データベース４５は、各々ハードディスク等で構成されており、設計知識データベース４３には、法規データなど、防災機器を設計する際に必要な各種データが格納され、機器配置ルールデータベース４４には、機器配置ルールデータとして、防災機器を構成する各機器に対応して、その配置順を示すデータと、その種別を示すデータとが格納され、件名管理データベース４５には、件名管理データとして、防災機器を設計する際に登録される物件名や、その設計者名等のデータが格納される。
【００１９】
なお、この防災機器設計システムでは、通信ネットワークとして、公衆回線網Ｎ１と、インターネットＮ２と、専用線Ｌとを用いているが、本発明はこの例に限られず、各支社に設置される演算処理装置１以外に、工場に設置される演算処理装置１’を、インターネットＮ２を介して、防災機器ＣＡＤ装置４に接続したり、工場に設置される演算処理装置１’に、各支社に設置される演算処理装置１を、専用線を介して、防災機器ＣＡＤ装置４に接続してもよく、その接続態様は問わない。
【００２０】
次に、この防災機器設計システムにおける防災機器ＣＡＤ装置４の基本動作の一例について、図３のフローチャート（１００〜１１７）とともに説明する。
まず、ユーザーは、演算処理装置１を操作して、ブラウザ（閲覧用ソフトウェア）を起動させ、各プロバイダＰ（＃１〜＃ｎ）が有するアクセスポイントにアクセスした後、防災機器ＣＡＤ装置４に割り付けられた、ＵＲＬなどのアドレス情報を指定し、防災機器ＣＡＤ装置４にアクセスする。
【００２１】
すると、防災機器ＣＡＤ装置４は、ｗｅｂ表示処理部４０Ｇによって、設計知識データベース４３より件名管理情報登録画面情報を読み出し、この情報を演算処理装置１に対して送信するので、これを受信した演算処理装置１では、そのディスプレイ上に、件名管理情報登録画面が表示される。
ユーザーは、この画面を参照して、防災機器を設計するにあたって名付ける物件名や、設計者名、設計日等の情報を入力し、この情報を防災機器ＣＡＤ装置４に送信すると、防災機器ＣＡＤ装置４は、受信した件名管理情報を、件名管理データベース４５に登録する（１００）。
【００２２】
その後、防災機器ＣＡＤ装置４は、ｗｅｂ表示処理部４０Ｇによって、機器図作成用情報登録画面情報を、設計知識データベース４３より読み出し、この情報を演算処理装置１に対して送信するので、これを受信した演算処理装置１では、そのディスプレイ上に、防災機器に接続する回線情報、防災機器に組み込む機器情報、防災機器の函体情報などの承認図作成用情報を登録するための機器図作成用情報登録画面が表示される。
【００２３】
機器図作成用情報登録画面の表示態様としては、例えば、まず最初に、図４に示すような、防災機器に接続する回線情報と、防災機器に組み込む機器情報と、防災機器の函体情報とのうち、いずれの情報を登録するかの選択を促す画面を表示させ、ボタンＡ〜Ｃが操作される毎に、ｗｅｂ表示処理部４０Ｇによって、図５に示すような回線情報登録画面、図６に示すような組込機器情報登録画面、図７に示すような函体情報登録画面を順次表示させ、登録ボタンＤの操作によって、各々の画面で設定された情報を登録させるようにしたものがあり、特にこのような態様に限られるものではない。
【００２４】
この機器図作成用情報登録画面では、ユーザーが、図５〜図７に示す画面を参照して、各々の情報を入力して登録する毎に（１０１）、図４に示す選択画面に戻るようになっており、ボタンＥが操作されたときに、防災機器ＣＡＤ装置４が、登録された各情報に基づいて、防災機器の自動設計を行うようになっている。
ここで、件名管理情報と機器図作成用情報を入力する作業は、前述するように、演算処理装置１で、表示画面を参照しながら行うだけではなく、公衆回線網Ｎ１に接続される電話機（不図示）などからこれらの情報を音声データとして入力することができ、また、演算処理装置１にこれらの情報を音声データとして格納し、格納した音声データを文字データに変換して入力することができる。
【００２５】
件名管理情報や機器図作成用情報が音声データとして入力されると、防災機器ＣＡＤ装置４では、音声入力処理部４０Ｆによって、音声データから文字データへと変換される。
ボタンＥが操作され、防災機器の自動設計指示がなされたときには（１０２）、
防災機器ＣＡＤ装置４では、法規判定部４０Ａが、設計知識データベース４３より法規データを読み出し、機器図作成用情報登録画面において登録された各情報が、法規に適合しているかどうかを判定し、法規に適合している情報について、自動設計用情報収集処理部４０Ｂが収集する（１０３）。
【００２６】
その後、自動設計用情報収集処理部４０Ｂによって収集された各情報のうち、防災機器に組み込む機器情報については、自動設計処理部４０Ｃが、機器配置ルールデータベース４４より、機器の配置順を示すデータを読み出し、このデータを参照することで、各機器を図面上に配置する順番を決定するようになっている（１０４）。
【００２７】
ここで、各機器の配置順の一例として、図８に図示しておく。
ここでは、最初に、銘板パネルａを配置し、その後、表示部を構成するメイン機器ｂ、ブランクパネルｃ、非常電話設備ｄ、操作部を構成するメイン機器のうち、ガス漏れ監視動作に際して操作する機器ｅ、操作部を構成するメイン機器のうち、オプションとして取り付ける機器ｆ、操作部を構成するメイン機器のうち、火災監視動作あるいは警報監視動作に際して操作する機器ｇ、プリンタｈの順に配置するように決定付けられている。
【００２８】
そして、自動設計処理部４０Ｃは、自動設計用情報収集処理部４０Ｂによって収集された機器情報より、防災機器に組み込む機器、例えば、函体表面のサッシ内に配置される機器の総重量を集計し（１０５）、集計した総重量が、所定の重量を超えるときには（１０６）、エラー報知を行い（１０７）、エラーメッセージ情報を演算処理装置１に送信するので、これを受けた演算処理装置１では、そのディスプレイ上にエラーメッセージが表示されたり、ブザー報知等がなされる。
【００２９】
一方、集計した総重量が、所定の重量以下のときには、自動設計処理部４０Ｃは、機器配置ルールデータベース４３より、機器の種別を示すデータを収集し（１０８）、このデータと、自動設計用情報収集処理部４０Ｂによって収集された各情報とに基づき、防災機器の自動設計を行って機器図情報を作成するとともに（１０９）、機器の名称とその種別とを対比させた各部名称表情報を作成し、作成した機器図情報と、各部名称表情報とを記憶部４６に格納し、また、自動設計情報収集処理部４０Ｂによって収集された各情報を、記憶部４６に格納する。
【００３０】
ここで、機器配置ルールデータベース４３に、機器の種別を示すデータとして、函体表面に配置される機器に対応して、その機器が配置された箇所の内部に配置させるべき機器を予め設定しておけば、自動設計処理部４０Ｃが自動設計を行う際に、函体表面に機器を配置したときに、その内部に配置する機器が自ずと決定され、他の機器がその内部に配置されなくなる。
【００３１】
その後、演算処理装置１で送信指示操作を行えば（１１０）、送信指示コマンドが防災機器ＣＡＤ装置４に対して送信されるので、このコマンドを受けた防災機器ＣＡＤ装置４では、ｗｅｂ表示処理部４０Ｇが、記憶部４６に格納された、機器図情報と各部名称表情報とを読み出し、演算処理装置１に対して送信するので（１１１）、演算処理装置１では、ブラウザ（ホームページ参照用ソフトウェア）の機能により、これらの情報が合成され、そのディスプレイ上に、例えば、図９に示すような画面が表示される。
【００３２】
ここでは、自動設計された機器図に加えて、各部名称表Ｆが付記されており、ユーザーはこの各部名称表Ｆと、機器図に付記された番号とを対比することで、防災機器に組み込まれている各機器の名称、その種別が確認できるようになっている。
この画面を受けて、ボタンＧを操作して、帳票作成指示を行えば（１１２）、帳票作成指示コマンドが防災機器ＣＡＤ装置４に対して送信されるので、このコマンドを受けた防災機器ＣＡＤ装置４では、帳票作成処理部４０Ｄが、件名管理データベース４５より、防災機器を設計するにあたって名付けられた物件名や、設計者名、設計日等のデータを読み出し、また、記憶部４６より、自動設計用情報収集処理部４０Ｂによって収集された各情報を読み出し、これらの情報に基づき、各種帳票情報を作成し（１１３）、作成した各種帳票情報を記憶部４６に格納する。
【００３３】
その後、演算処理装置１で送信指示操作を行えば（１１４）、送信指示コマンドが防災機器ＣＡＤ装置４に対して送信されるので、このコマンドを受けた防災機器ＣＡＤ装置４では、ｗｅｂ表示処理部４０Ｇが、記憶部４６より各種帳票情報を読み出し、演算処理装置１に送信する（１１５）。
これを受けた演算処理装置１では、そのディスプレイ上に、各種帳票を表示するようになっている。
【００３４】
各種帳票としては、例えば、図１０，図１１に示すような、設計した防災機器の価格を見積り、その見積書を作成するために参照する見積入力用帳票、図１２に示すような、停電時など非常時に、防災機器を動作させるために必要な予備電源の容量を示すバッテリー計算書、図１３に示すような、設計した防災機器の仕様について説明する納入仕様書、図１４に示すような、防災機器に付属して納入する予備品を示す予備品リストなどがあり、これらの例に限られるものではなく、また、表示態様もこれらの例に限られるものではない。
【００３５】
ここで、演算処理装置１で表示された機器図（図９参照）や、各種帳票（図１０〜図１４参照）は、ブラウザ（ホームページ参照用ソフトウェア）の機能により、装置１のハードディスク等の記憶手段に格納させることができる。
また、記憶手段に格納した機器図や各種帳票は、装置１自身に接続されるプリンタ３に送信して記録させたり、公衆回線網Ｎ１を介して、ファクシミリ装置２に送信したり、インターネットＮ２を介して、他の演算処理装置１に送信することができる。
【００３６】
このとき、演算処理装置１は、プリンタ３、ファクシミリ装置２、他の演算処理装置１に対して、これらの機器図や各種帳票を送信する時刻を指定することもできる。
なお、図３では、防災機器ＣＡＤ装置４によって作成された機器図情報や各種帳票情報を、演算処理装置１の送信指示操作があったときに送信するようにしているが、この例に限られず、機器図情報や各種帳票情報を作成後、すぐに演算処理装置１に送信するようにしてもよい。
【００３７】
ここで、防災機器ＣＡＤ装置４は、防災機器を自動設計したり、各種帳票を作成するだけではなく、防災機器に組み込まれる各機器や、各機器を構成する部品を、工場に対して製造依頼できるようにもなっている。
すなわち、ボタンＨ（図９参照）が操作されると（１１６）、工場連携指示コマンドが防災機器ＣＡＤ装置４に対して送信されるので、このコマンドを受けた防災機器ＣＡＤ装置４では、工場連携処理部４０Ｅが、記憶部４６より、各種帳票情報と機器図情報とを読み出し、読み出した各種帳票情報に基づき、防災機器に組み込まれる各機器の製造を依頼するための製造手配書情報を作成し、機器図情報とともに、専用線Ｌを介して、演算処理装置１’に送信する（１１７）。
【００３８】
このとき、演算処理装置１’に対して製造手配書情報を送信したことを通知するメッセージ情報を、ｗｅｂ表示処理部４０Ｇによって、演算処理装置１に対して送信するようにしてもよく、また、製造手配書情報は、各機器を構成する部品に展開して作成するようにしてもよい。
なお、上記した説明では、入力操作や画面表示は、すべて演算処理装置１側で行われるようになっているが、この例に限られず、入力操作は防災機器ＣＡＤ装置４の操作部４１で、また、画面表示は表示部４８で行われるようにしてもよい。
【００３９】
【発明の効果】
以上の説明からも理解できるように、請求項１に記載の防災機器設計システムでは、防災機器ＣＡＤ装置は、演算処理装置から、防災機器に接続する回線情報、防災機器に組み込む機器情報、防災機器の函体情報などの情報を受信したときには、これらの情報に基づいて、防災機器内に必要な機器を組み込んだ状態の機器図を作成し、この作成した機器図情報を、演算処理装置に送信するので、通信ネットワークに接続されてさえいれば、どの演算処理装置からでも、防災監視盤などの防災機器を、特別な設計知識を必要とせずに設計することができる。
【００４０】
請求項２に記載の防災機器設計システムでは、防災機器ＣＡＤ装置は、函体表面の機器配置と、函体内部の機器配置とを、予め定められた優先順に従って設計することができる。
請求項３に記載の防災機器設計システムでは、防災機器ＣＡＤ装置は、函体内部の機器配置を、函体表面に配置される機器の種別に従って設計するので、ある機器が、函体表面に配置されたときに、その内部に配置する機器が自ずと決定され、他の機器がその内部に配置されなくなる。
【００４１】
請求項４に記載の防災機器設計システムでは、防災機器ＣＡＤ装置は、作成された機器図に基づいて、各機器の名称や種別などの情報を一覧とした機器名称表を作成するので、機器名称表を参照することで、防災機器に組み込まれている各機器の名称、その種別などの情報が容易に確認できる。
請求項５に記載の防災機器設計システムでは、防災機器ＣＡＤ装置は、防災機器に配置した機器の総重量が、所定の重量を超えたときには、エラー報知を行うので、防災機器に載置された機器の総重量が、サッシの耐久重量を超えてしまうことを未然に防止できる。
【００４２】
請求項６に記載の防災機器設計システムでは、防災機器ＣＡＤ装置は、演算処理装置から受信した情報を基にして、見積入力用帳票、バッテリー計算書、納入仕様書、予備品リストなどの各種帳票を作成するので、帳票を作成する作業が非常に楽になる。
請求項７に記載の防災機器設計システムでは、防災機器ＣＡＤ装置は、演算処理装置のいずれかから、通信ネットワークを介して、防災機器に接続する回線情報、防災機器に組み込む機器情報、防災機器の函体情報などの情報を、音声データで受信したときには、文字データに変換してから機器図を作成するので、これらの情報を、電話機などから防災機器ＣＡＤ装置に入力しても、防災機器を自動設計させることができる。
【００４３】
請求項８に記載の防災機器設計システムでは、演算処理装置は、防災機器ＣＡＤ装置によって作成され、受信した情報を、通信ネットワークを介して、他の演算処理装置に送信するので、これを受信した他の演算処理装置でも、この情報を格納させたり、そのディスプレイ上に表示させたり、これに接続されるプリンタから記録させたりすることができる。
【００４４】
請求項９に記載の防災機器設計システムでは、演算処理装置は、防災機器ＣＡＤ装置から受信した情報を送信すべき、他の演算処理装置の宛先、あるいはこの情報の送信を開始する時間を、予め設定できるので、ユーザにとって非常に便利である。
請求項１０に記載の防災機器設計システムでは、防災機器ＣＡＤ装置は、演算処理装置から受信した情報を基にして、防災機器に組み込まれる各機器を発注するための製造手配書を作成し、この製造手配書情報を製造者の演算処理装置に送信するので、防災機器に組み込まれる各機器の製造を、工場に発注する作業が非常に楽になる。
【００４５】
請求項１１に記載の防災機器設計システムでは、防災機器ＣＡＤ装置は、防災機器に組み込まれる各機器を、各機器を構成する部品に展開して製造手配書を作成するので、部品の発注漏れを未然に防止することができる。
【図面の簡単な説明】
【図１】本発明の防災機器設計システムの要部構成を示す図である。
【図２】防災機器ＣＡＤ装置の要部構成を示す図である。
【図３】防災機器ＣＡＤ装置の基本動作の一例について説明するためのフローチャートである。
【図４】機器図作成用情報登録画面の一例を示す図である（選択画面）。
【図５】機器図作成用情報登録画面の一例を示す図である（回線情報登録画面）。
【図６】機器図作成用情報登録画面の一例を示す図である（機器情報登録画面）。
【図７】機器図作成用情報登録画面の一例を示す図である（函体情報登録画面）。
【図８】機器の配置順について説明するための図である。
【図９】機器図の表示態様の一例を示す図である。
【図１０】各種帳票の表示態様の一例を示す図である（見積入力用帳票）。
【図１１】各種帳票の表示態様の一例を示す図である（見積入力用帳票）。
【図１２】各種帳票の表示態様の一例を示す図である（バッテリー計算書）。
【図１３】各種帳票の表示態様の一例を示す図である（納入仕様書）。
【図１４】各種帳票の表示態様の一例を示す図である（予備品リスト）。
【符号の説明】
１，１’・・・演算処理装置
４・・・防災機器ＣＡＤ装置
Ｌ・・・専用線
Ｎ１・・・公衆回線網
Ｎ２・・・インターネット
【図１】
0003780724.tif 000002
【図２】
0003780724.tif 000003
【図３】
0003780724.tif 000004
【図４】
0003780724.tif 000005
【図５】
0003780724.tif 000006
【図６】
0003780724.tif 000007
【図７】
0003780724.tif 000008
【図８】
0003780724.tif 000009
【図９】
0003780724.tif 000010
【図１０】
0003780724.tif 000011
【図１１】
0003780724.tif 000012
【図１２】
0003780724.tif 000013
【図１３】
0003780724.tif 000014
【図１４】
0003780724.tif 000015